(57)【要約】【課題】複数の送風機を備えた外気処理空気調和機において、これら複数の送風機のメンテナンスに係る作業負担を軽減する。【解決手段】筐体１１内に、外気と内気を熱交換する全熱交換素子３１と、外気を屋内に全熱交換素子３１を経て導入する給気ファン４０Ａと、内気を屋外に全熱交換素子３１を経て排出する排気ファン４０Ｂとを備えた外気処理空気調和機１０は、ファンモーター５０Ａ、５０Ｂを筐体１１の一辺を構成する側面パネル１１ｃに対向配置させた構成を有する。【選択図】図１
2011075116.tif 000002
【特許請求の範囲】
【請求項１】
筐体内に、外気と内気を熱交換する全熱交換素子と、外気を屋内に前記全熱交換素子を経て導入する導入送風機と、内気を屋外に前記全熱交換素子を経て排出する排出送風機とを備えた外気処理空気調和機において、
前記各送風機の駆動モーターを前記筐体の一辺を構成する側板に対向配置させた、
ことを特徴とする外気処理空気調和機。
【請求項２】
前記各送風機の駆動モーターに対向する前記側板には、前記全熱交換素子を前記筐体の幅方向に引き出し可能とする開口、及び、前記各送風機のメンテナンス用の開口を設けたことを特徴とする請求項１記載の外気処理空気調和機。
【請求項３】
前記外気処理空気調和機は、天井裏空間において、該天井裏空間を構成する天井板の点検口が前記各送風機のメンテナンス用の開口の近傍に位置するよう設置されることを特徴とする請求項２記載の外気処理空気調和機。
【請求項４】
前記導入送風機及び前記排出送風機は、ケーシングの両側面に吸気口を有する両吸込型のシロッコファンとして構成され、前記駆動モーターを一方の吸気口に取り付けたことを特徴とする請求項１から３のいずれかに記載の外気処理空気調和機。
【請求項５】
前記筐体内に、屋外側吸込口から外気を屋内に導入する導入経路と、屋内側吸込口から内気を屋外に排出する排出経路とを備え、前記導入送風機を、前記ケーシングの開口のうち前記駆動モーターとは反対側の開口が前記屋外側吸込口側に位置するよう配置し、前記排出送風機を、前記ケーシングの開口のうち前記駆動モーターとは反対側の開口が前記屋内側吸込口側に位置するよう配置したことを特徴とする請求項４記載の外気処理空気調和機。
【請求項６】
前記筐体から屋外へ排気する屋外側吹出口と、前記筐体から屋内へ給気するための屋内側吹出口とを、前記筐体の両端面において互いに対向する位置に設け、前記導入送風機及び前記排出送風機を、それぞれ前記屋外側吹出口と前記屋内側吹出口とに対向させて配置したことを特徴とする請求項１から５のいずれかに記載の外気処理空気調和機。
【発明の詳細な説明】
【技術分野】
【０００１】
本発明は、外気を調温して屋内へ供給する外気処理空気調和機に関する。
【背景技術】
【０００２】
一般に、屋内空気を屋外に排出するとともに、外気を、屋内空気を熱源として温度調和して屋内に導入する、いわゆる外調機（外気処理空気調和機）が知られている（例えば、特許文献１参照）。外気処理空気調和機は、一般に、外気を吸い込んで屋内に供給する導入用の経路と内気を吸い込んで屋外に排出する排出用の経路との、２つの送風経路が設けられ、それぞれの経路に対応する２以上の送風機を備えている。
【先行技術文献】
【特許文献】
【０００３】
【特許文献１】特開２００３−１８５２９１号公報
【発明の概要】
【発明が解決しようとする課題】
【０００４】
上記従来の外気処理空気調和機が備える複数の送風機は、逆方向に送風するものであるから、設置位置や設置の向きが反対になることが多い。このように複数の送風機の設置位置が離れていて、逆向きに取り付けられた構成では、各々の送風機には別の経路からアクセスせざるを得なくなり、メンテナンス時の作業負担が大きかった。また、外気処理空気調和機の設置場所の制約から、一つの点検通路から各送風機のメンテナンスを行う場合には、作業負担が特に大きくなりやすいという問題があった。
そこで、本発明の目的は、複数の送風機を備えた外気処理空気調和機において、これら複数の送風機のメンテナンスに係る作業負担を軽減することにある。
【課題を解決するための手段】
【０００５】
上記目的を達成するために、本発明は、筐体内に、外気と内気を熱交換する全熱交換素子と、外気を屋内に前記全熱交換素子を経て導入する導入送風機と、内気を屋外に前記全熱交換素子を経て排出する排出送風機とを備えた外気処理空気調和機において、前記各送風機の駆動モーターを前記筐体の一辺を構成する側板に対向配置させたことを特徴とする。
【０００６】
この構成において、前記各送風機の駆動モーターに対向する前記側板には、前記全熱交換素子を前記筐体の幅方向に引き出し可能とする開口、及び、前記各送風機のメンテナンス用の開口を設けてもよい。さらに、前記外気処理空気調和機は、天井裏空間において、該天井裏空間を構成する天井板の点検口が前記各送風機のメンテナンス用の開口の近傍に位置するよう設置されてもよい。
【０００７】
また、上記構成において、前記導入送風機及び前記排出送風機は、ケーシングの両側面に吸気口を有する両吸込型のシロッコファンとして構成され、前記駆動モーターを一方の吸気口に取り付けた構成としてもよい。さらに、前記筐体内に、屋外側吸込口から外気を屋内に導入する導入経路と、屋内側吸込口から内気を屋外に排出する排出経路とを備え、前記導入送風機を、前記ケーシングの開口のうち前記駆動モーターとは反対側の開口が前記屋外側吸込口側に位置するよう配置し、前記排出送風機を、前記ケーシングの開口のうち前記駆動モーターとは反対側の開口が前記屋内側吸込口側に位置するよう配置してもよい。さらにまた、前記筐体から屋外へ排気する屋外側吹出口と、前記筐体から屋内へ給気するための屋内側吹出口とを、前記筐体の両端面において互いに対向する位置に設け、前記導入送風機及び前記排出送風機を、それぞれ前記屋外側吹出口と前記屋内側吹出口とに対向させて配置してもよい。
【発明の効果】
【０００８】
本発明によれば、外気処理空気調和機において外気を屋内に全熱交換素子を経て導入する導入送風機及び内気を屋外に全熱交換素子を経て排出する排出送風機の駆動モーターを、筐体の一辺を構成する側板に対向配置させたので、この側板を介して、いずれの駆動モーターにも容易にアクセスできる。このため、これら複数の送風機のメンテナンスに係る作業負担を大幅に軽減できる。
【図面の簡単な説明】
【０００９】
【図１】本実施形態にかかる外気処理空気調和機の内部構造を示す斜視図である。
【図２】外気処理空気調和機の平面図である。
【図３】外気処理空気調和機の側断面図である。
【図４】送風機の斜視図である。
【図５】外気処理空気調和機から全熱交換素子を含む各部を引き出した状態を示す分解斜視図である。
【発明を実施するための形態】
【００１０】
以下、図面を参照して本発明の一実施の形態について説明する。
図１は、本実施形態にかかる外気処理空気調和機の内部構造を示す斜視図であり、図２は、外気処理空気調和機の平面図であり、図３は、外気処理空気調和機の側断面図である。この図１及び図２では筐体の上面パネルを省略している。
【００１１】
外気処理空気調和機１０は、図１に示すように、略直方体形状の筐体１１を備え、この筐体１１の長手方向に対向する一対の側面パネル１１ａ、１１ｂのうち、屋内側の側面パネル１１ａには、図２に示すように、屋内側吸込口１２と屋内側吹出口１３とが形成され、屋外側の側面パネル１１ｂには屋外側吸込口１４と屋外側吹出口１５とが形成されている。これら各吸込口及び各吹出口には、それぞれダクト（不図示）が接続され、これらダクトを介して屋内もしくは屋外の空間に連通している。また、外気処理空気調和機１０は、筐体１１の４隅に固着された吊金具１６を備え、これら吊金具１６は、ビル等の建築物の躯体から垂下された吊りボルト（不図示）に止着され、筐体１１が上記躯体と天井板との間の天井裏空間に吊り下げられるように構成される。
また、天井板には、図１に示すように、外気処理空気調和機１０を保守、点検するための２つの点検口２０、２０が形成され、本実施形態では、これら点検口２０、２０は、外気処理空気調和機１０の筐体１１の長手方向に延びる一対の側面パネル１１ｃ、１１ｄのうち、一方の側面パネル１１ｃに沿って並設されている。
【００１２】
この側面パネル（側板）１１ｃには、外気処理空気調和機１０の動作を制御する電装部品が収容された電装箱２１が配置されている。電装箱２１は、側面パネル１１ｃを構成するメンテナンスパネル２３に一体に取り付けられており、メンテナンスパネル２３とともに筐体１１から着脱される。
【００１３】
外気処理空気調和機１０は、筐体１１内に外気調温用の全熱交換ユニット３０と、この全熱交換ユニット３０に接続される空調ユニット６０とを備えて構成されている。具体的には、筐体１１内は、上記した側面パネル１１ａ、１１ｂと略平行に設けられた仕切壁１７により屋外側と屋内側とに区分けされ、屋外側の空間に全熱交換ユニット３０が収容されている。屋内側の空間は、屋内側吸込口１２と屋内側吹出口１３との間に設けられた仕切壁１８により、さらに区分けされ、屋内側吹出口１３に連通する空間には空調ユニット６０が収容されている。この空調ユニット６０は、仕切壁１７に設けられた給気開口１７ａを通じて全熱交換ユニット３０と連なっている。
屋内側吸込口１２に連通する空間では、図２に示すように、仕切壁１７に、後述する排出経路３４、バイパス経路３９にそれぞれ連なる排気開口１７ｂ、バイパス開口１７ｃが設けられるとともに、これら排気開口１７ｂ、バイパス開口１７ｃの一方を閉塞して、屋内側吸込口１２から吸い込まれた内気ＲＡを排出経路３４もしくはバイパス経路３９に切換えて流すためのダンパユニット８０が配置されている。このダンパユニット８０は、略Ｌ字形状に折り曲げられ、排気開口１７ｂ、バイパス開口１７ｃの一方を開放し、他方を閉塞するダンパ板８１と、このダンパ板８１を回動させるダンパモーター８２とを備える。
【００１４】
全熱交換ユニット３０は、図２に示すように、内気ＲＡと外気ＯＡとの顕熱の熱交換を行う全熱交換素子３１と、この全熱交換素子３１の屋外側に設けられた排気ファン（排出送風機）４０Ｂと、当該全熱交換素子３１の屋内側に設けられた給気ファン（導入送風機）４０Ａと、筐体１１と協働して、内気ＲＡを屋外に全熱交換素子３１を経て排出する排出経路３４及び外気ＯＡを屋内に全熱交換素子３１を経て導入する導入経路３５を形成する風路形成体３６とを備える。この風路形成体３６は、発泡樹脂製の複数の部材を組み合わせて形成されており、平面視で全熱交換素子３１に対して左右対称となるように筐体１１内に配置されている。
また、本構成では、全熱交換ユニット３０には、筐体１１及び風路形成体３６との協働により、内気ＲＡを屋外に全熱交換素子３１をバイパスして排出するバイパス経路３９が形成されている。
【００１５】
全熱交換素子３１は、図３に示すように、略正四角柱状に形成されており、空気の吸込口又は吹出口となる４つの側面３１ａ〜３１ｄが筐体１１の上面パネル１１ｅ及び底面パネル１１ｆに対して傾斜した姿勢で、筐体１１の幅方向に延びて配置されている。具体的には、筐体１１の上面パネル１１ｅ、底面パネル１１ｆ及び風路形成体３６の全熱交換素子３１に対向する面には、それぞれ筐体１１の幅方向に延びる断面コ字形状のレール部材３７Ａ〜３７Ｄが設けられ、これらレール部材３７Ａ〜３７Ｄによって、全熱交換素子３１の各側辺部が支持されている。これによれば、筐体１１内は、全熱交換素子３１の４つの側面３１ａ〜３１ｄにそれぞれ連なる４つの空間３８ａ、３８ｂ、３８ｃ、３８ｄに区分けされる。
【００１６】
風路形成体３６、筐体１１の底面パネル１１ｆ及び全熱交換素子３１で形成された２つの空間３８ａ、３８ｂのうち、全熱交換素子３１の屋外側下方に位置する側面３１ａに連なる空間３８ａは、風路形成体３６を介して屋外側吸込口１４に連通している。このため、この空間３８ａが外気吸込経路となり、全熱交換素子３１の側面３１ａが吸込口となる。
また、全熱交換素子３１の屋内側下方に位置する側面３１ｂに連通する空間３８ｂは、排気開口１７ｂ及びダンパユニット８０（図１）を介して屋内側吸込口１２に連通している。このため、この空間３８ｂが内気吸込経路となり、全熱交換素子３１の側面３１ｂが吸込口となる。
【００１７】
一方、全熱交換素子３１の上側の側面３１ｃ、３１ｄは、風路形成体３６の外側に露出しており、風路形成体３６、筐体１１の上面パネル１１ｅ及び全熱交換素子３１で形成された２つの空間３８ｃ、３８ｄのうち、全熱交換素子３１の屋外側上方に位置する側面３１ｃに連なる空間３８ｃは、排気ファン４０Ｂを介して屋外側吹出口１５に連通している。このため、この空間３８ｃが排気通路となり、全熱交換素子３１の側面３１ｃが吹出口となる。
また、全熱交換素子３１の屋内側上方に位置する側面３１ｄに連なる空間３８ｄは、給気ファン４０Ａ及び空調ユニット６０を介して屋内側吹出口１３に連通している。このため、この空間３８ｄが給気通路となり、全熱交換素子３１の側面３１ｄが吹出口となる。
【００１８】
全熱交換素子３１は、蛇行状に折り曲げた折り曲げ紙に平板状紙をのせ、その上に、上記折曲げ紙とはその折り曲げ方向を変えた折り曲げ紙を重ねるようにして、これら折曲げ紙と平板状紙とを順次積層させて構成されている。このため、全熱交換素子３１の４つの側面３１ａ〜３１ｄにおいては、相対向する側面どうしが連通するようになっている。すなわち、側面３１ａと側面３１ｃ及び側面３１ｂと側面３１ｄは共に連通している。従って、本実施形態では、屋外側吸込口１４と屋内側吹出口１３との間は、外気吸込経路３８ａと給気通路３８ｄとが全熱交換素子３１を介して連通して導入経路３５を形成する一方、屋内側吸込口１２と屋外側吹出口１５との間は内気吸込経路３８ｂと排気通路３８ｃとが全熱交換素子３１を介して連通して排出経路３４を形成している。
【００１９】
風路形成体３６は、図１に示すように、全熱交換素子３１の屋内側に形成され、この全熱交換素子３１から仕切壁１７の給気開口１７ａに向けて下方に窪んだ屋内側凹部３６Ａと、全熱交換素子３１の屋外側に形成され、この全熱交換素子３１から側面パネル１１ｂの屋外側吹出口１５に向けて下方に窪んだ屋外側凹部３６Ｂとを備え、屋内側凹部３６Ａには給気ファン４０Ａが配置され、屋外側凹部３６Ｂには排気ファン４０Ｂが配置されている。
給気ファン４０Ａ及び排気ファン４０Ｂは、ともにシロッコファンであり、排気ファン４０Ｂは、屋外側凹部３６Ｂにて筐体１１の側面パネル１１ｂの屋外側吹出口１５に対応する位置に取り付けられている。また、給気ファン４０Ａは、屋内側凹部３６Ａにて仕切壁１７に形成された給気開口１７ａに連通し、側面パネル１１ａの屋内側吹出口１３に対応する位置に取り付けられている。
【００２０】
図４は、給気ファン４０Ａの構成を示す斜視図であり、この給気ファン４０Ａに取り付けられたファンモーター５０Ａを合わせて図示する。図４（ａ）は図１に対応する向きで一方の側面を示し、図４（ｂ）は他方の側面を示す。なお、給気ファン４０Ａと排気ファン４０Ｂとは同一に構成されるため、図４には例として給気ファン４０Ａを図示し、排気ファン４０Ｂにおいて対応する部材の符号を図中括弧書で示す。
図４（ａ）に示された側面は図１中の側面パネル１１ｃ側の面である。給気ファン４０Ａは、略円筒形のケーシング４１Ａに、複数のフィンを備えた円筒形の回転羽根４２Ａを収容して構成されるシロッコファンであり、回転羽根４２Ａを回転駆動するファンモーター（駆動モーター）５０Ａが取り付けられる。本実施形態の回転羽根４２Ａは、回転軸方向の両端面から吸気して側面方向へ送風する両吸込型である。ケーシング４１Ａには、回転羽根４２Ａの吸い込み面に対応して、一方の側面に吸気口４４Ａが開口し、他方の側面に吸気口４５Ａが開口しており、これら吸気口４４Ａ、４５Ａから屋内側凹部３６Ａの空気が吸い込まれる。また、ケーシング４１Ａには吹出口４３Ａが設けられ、この吹出口４３Ａから後述する空調ユニット６０に向けて送風される。
【００２１】
回転羽根４２Ａの軸方向中央には円形の主板（不図示）が設けられ、この主板に設けられたボス（不図示）に、ファンモーター５０Ａの出力軸（不図示）が固定される。このため、ファンモーター５０Ａは、吸気口４４Ａ側と吸気口４５Ａ側とのどちらにも取付可能であり、本実施形態では、筐体１１への設置状態において側面パネル１１ｃに対向する吸気口４４Ａに、ファンモーター５０Ａが配置されている。
一方、排気ファン４０Ｂも同様に、ケーシング４１Ｂ内に回転羽根４２Ｂを収容した両吸込型のシロッコファンとして構成され、ケーシング４１Ｂには回転羽根４２Ｂの軸方向両端に対応する吸気口４４Ｂ、４５Ｂが設けられ、吸気口４４Ｂ、４５Ｂから屋外側凹部３６Ｂ内の空気を吸い込んで、吹出口４３Ｂから屋外側吹出口１５を通じて送風する。排気ファン４０Ｂにおいては、筐体１１への設置状態において側面パネル１１ｃに対向する吸気口４４Ｂに、回転羽根４２Ｂを回転駆動するファンモーター（駆動モーター）５０Ｂが設けられている。つまり、本構成では、これらファンモーター５０Ｂ、５０Ａは、図１に示すように、天井板に設けられた２つの点検口２０、２０側に位置する筐体１１の一方の側面パネル１１ｃに向けて設けられている。
【００２２】
ここで、給気ファン４０Ａと排気ファン４０Ｂとは、ファンモーター５０Ａ、５０Ｂの取付位置等を含めて全く同一の構成とすることができ、図１に示すように、筐体１１への設置時に向きを変えるだけでよい。図１中の給気ファン４０Ａと排気ファン４０Ｂとは、設置の向きが、回転羽根４２Ａ、４２Ｂの回転方向に沿って１８０度回転させた関係になっている。
なお、図４に示したように、吹出口４３Ａ、４３Ｂは高さ方向の中央に位置していないが、吹出口４３Ａ、４３Ｂの位置と屋内側吹出口１３及び屋外側吹出口１５の位置とは完全に重ならなくても、効率よく内気排出と外気導入を行える。また、給気ファン４０Ａの吹出口４３Ａに連通する屋内側吹出口１３の高さを、吹出口４３Ａに合わせて上側に偏らせ、屋外側吹出口１５の高さを排出経路３４ｂに合わせて下側に偏らせれば、通風抵抗がより一層低減され、さらに効率よく内気排出と外気導入を行える。
【００２３】
そして、給気ファン４０Ａは、ケーシング４１Ａに設けられた２つの吸気口４４Ａ、４５Ａのうち、図２に示すように、ファンモーター５０Ａが取り付けられていない側の吸気口４５Ａが、導入経路３５の上流である屋外側吸込口１４側に位置するように配置されている。詳細には、風路形成体３６によって筐体１１内部に形成された導入経路３５は、全熱交換素子３１を通って屋内側凹部３６Ａに達する。ここで、屋外側吸込口１４から吸い込まれた外気は全熱交換素子３１の全面を通過可能であるが、屋外側吸込口１４側の風量が多くなる傾向がある。このため、ファンモーター５０Ａによって塞がれていない吸気口４５Ａを、筐体１１の幅方向において、屋外側吸込口１４側すなわち全熱交換素子３１の通過風量の多い側に位置させることで、全熱交換素子３１を通過した空気を少ない抵抗で大量に吸い込み、効率よく送風できる。
同様に、排気ファン４０Ｂは、図２に示すように、ファンモーター５０Ｂが取り付けられていない側の吸気口４５Ｂが、排出経路３４の上流である屋内側吸込口１２側に位置するように配置されている。屋内側吸込口１２から吸い込まれた外気は全熱交換素子３１の全面を通過可能であるが、屋内側吸込口１２側の風量が多くなる傾向があるので、ファンモーター５０Ａによって塞がれていない側の吸気口４５Ｂを、筐体１１の幅方向において屋内側吸込口１２側に位置させることで、全熱交換素子３１を通過する風量が多い側から多くの空気を吸い込む構成となるため、少ない抵抗で大量の空気を吸い込み、効率よく送風できる。
【００２４】
さらに、筐体１１の両端面を構成する側面パネル１１ｂと側面パネル１１ａには、それぞれ、屋外側吹出口１５と屋内側吹出口１３とが形成され、給気ファン４０Ａ、４０Ｂの各々は、屋内側吹出口１３、屋外側吹出口１５に対向して配置されている。特に、給気ファン４０Ａの吹出口４３Ａは屋内側吹出口１３に対向し、排気ファン４０Ｂの吹出口４３Ｂは屋外側吹出口１５に対向している。このため、給気ファン４０Ａ、４０Ｂの吹き出し空気が少ない抵抗で屋内側吹出口１３及び屋外側吹出口１５へ送風されるので、通風抵抗を抑え、効率よく外気の導入と内気の排出を行うことができる。
【００２５】
次に、空調ユニット６０について説明する。
空調ユニット６０は、導入経路３５を通じて屋内に供給される外気を冷房または暖房するものであり、図３に示すように、室内熱交換器６１と、加湿器６２と、これら室内熱交換器６１及び加湿器６２から流下するドレン水を受けるドレンパン６３とを備える。室内熱交換器６１は、膨張弁６４（図２）を介して、圧縮機及び熱源側熱交換器を備えた空気調和装置の室外ユニット（不図示）に接続されており、冷房運転時には、蒸発器として機能して外気を冷却して屋内に供給し、暖房運転時には凝縮器として機能して外気を加温して屋内に供給する。
また、空調ユニット６０は、室内熱交換器６１の一端に膨張弁６４を介して接続された液冷媒配管接続口６５と、室内熱交換器６１の他端に接続されたガス冷媒配管接続口６６とを備え、これら液冷媒配管接続口６５及びガス冷媒配管接続口６６は、図１に示すように、上記点検口２０、２０側に位置する筐体１１の側面パネル１１ｃを貫通している。
【００２６】
加湿器６２は、室内熱交換器６１の外気の流れの下流側に設けられ、保水性の高い加湿エレメント（不図示）に水を吸収させるとともに、この加湿エレメントに外気を通過させることにより、この外気を加湿する。
この加湿器６２には、給水接続口６７を有する加湿器制御箱６８が設けられ、この加湿器制御箱６８内には、給水接続口６７から供給された水の圧力を所定の圧力まで減じる減圧弁と、この減圧された水を加湿エレメントに供給するために開閉する電磁弁と、この電磁弁の動作を制御する制御基板とが設けられている。本実施形態では、加湿器制御箱６８は、図１に示すように、上記点検口２０、２０側に位置する筐体１１の側面パネル１１ｃに設けられている。
また、この側面パネル１１ｃには、当該側面パネル１１ｃの下方位置に、上記したドレンパン６３で受けたドレン水を外部に排出するためのドレン管接続口６９が設けられている。このドレン管接続口６９は、ドレンパン６３からドレン水を自然排水する際にドレン管が接続されるものである。なお、符号７０もドレン管接続口であり、このドレン管接続口７０は、ドレンパン６３からドレンポンプを利用して排水する場合に使用される。このドレン管接続口７０が使用される場合には、自然排水用のドレン管接続口６９は封止される。
【００２７】
図５は、外気処理空気調和機１０において、全熱交換素子３１を含む各部を引き出した状態を示す分解斜視図である。なお、この図５においては加湿器６２が有するエレメントの図示を省略する。
本実施形態では、筐体１１の側面パネル１１ｃには、図１に示すように、全熱交換素子３１に対応する位置に着脱自在なメンテナンスパネル２２が設けられている。このほか、側面パネル１１ｃには、上述したように電装箱２１と一体に取り付けられたメンテナンスパネル２３がメンテナンスパネル２２に並べて配置され、メンテナンスパネル２３の反対側にはメンテナンスパネル２４が配置される。さらに、側面パネル１１ｃには、液冷媒配管接続口６５、ガス冷媒配管接続口６６、及びドレン管接続口６９の近傍に位置するメンテナンスパネル２５と、加湿器制御箱６８に一体に取り付けられたメンテナンスパネル２６とが配置されている。
これらメンテナンスパネル２２〜２６は、いずれも側面パネル１１ｃに対して着脱可能であり、図５はメンテナンスパネル２２〜２６を取り外した状態を示している。
【００２８】
上述のように、全熱交換素子３１は、筐体１１内に配置された４つのレール部材３７Ａ〜３７Ｄにより、当該全熱交換素子３１の側辺部が支持されている。このため、図５に示すように、メンテナンスパネル２２を外すことにより、点検口２０から全熱交換素子３１を筐体１１の幅方向（図５中Ｘ方向）に簡単に抜き差しすることができ、この全熱交換素子３１の交換等のメンテナンス作業を容易に行うことができる。さらに、本実施形態では、全熱交換素子３１は、２つに分割して収容されているため、点検口２０からの作業であっても、全熱交換素子３１を簡単に筐体１１から抜き差しすることができる。
【００２９】
また、上述のように、電装箱２１と一体のメンテナンスパネル２３は、給気ファン４０Ａのファンモーター５０Ａに対向しており、電装箱２１とともにメンテナンスパネル２３を取り外すと、図５に示すように開口１９ｃが開き、この開口１９ｃからファンモーター５０Ａが露出する。また、メンテナンスパネル２４は排気ファン４０Ｂのファンモーター５０Ｂに対向した位置にあり、メンテナンスパネル２４を取り外すと開口１９ａが開き、この開口１９ａからファンモーター５０Ｂが露出する。このため、ファンモーター５０Ａ、５０Ｂに対しては、開口１９ｃ、１９ａからメンテナンスを行うことができ、必要に応じて、ファンモーター５０Ａ、５０Ｂを開口１９ｃ、１９ａから取り出すことも可能である。このように、側面パネル１１ｃ側から、ファンモーター５０Ａ、５０Ｂのいずれに対してもメンテナンス作業を行うことができる。
【００３０】
さらに、メンテナンスパネル２２、２３、２４とともに側面パネル１１ｃに設けられたメンテナンスパネル２５を取り外すと、開口１９ｄが開き、この開口１９ｄから、液冷媒配管接続口６５、ガス冷媒配管接続口６６及びドレン管接続口６９に繋がる筐体１１内部の配管が露出する。このため、各接続口６５、６６、６９と、各接続口に繋がる配管のメンテナンスを、側面パネル１１ｃ側から行うことができる。
また、加湿器６２は、側面パネル１１ｃに着脱可能に設けられたメンテナンスパネル２６の内側に一体に取り付けられ、メンテナンスパネル２６の外側には加湿器制御箱６８が取り付けられている。この加湿器制御箱６８、加湿器６２は、メンテナンスパネル２６とともに筐体１１の外に引き出すことが可能であり、エレメント（不図示）の清掃や交換等のメンテナンスを側面パネル１１ｃ側から行える。
【００３１】
このように、本実施形態の外気処理空気調和機１０においては、ファンモーター５０Ａ、５０Ｂに対向する位置において、側面パネル１１ｃにはメンテナンスパネル２３、２４が着脱可能に配設されている。そして、メンテナンスパネル２３、２４の近傍には点検口２０、２０が位置しているので、点検口２０を通じて外気処理空気調和機１０が設置された天井裏空間にアクセスし、メンテナンスパネル２３、２４を外すことで、ファンモーター５０Ａ、５０Ｂのメンテナンスが可能な状態を速やかに実現できる。これにより、２つのファンモーター５０Ａ、５０Ｂのメンテナンス性を大幅に高めることができる。
さらに、加湿器６２と加湿器制御箱６８とを一体に備えたメンテナンスパネル２６、さらに、冷媒配管やドレン配管の接続口、加湿器の給水管の接続口のメンテナンス用のメンテナンスパネル２５、及び電装箱２１を、側面パネル１１ｃに設けたため、これら各部位に点検口２０から簡単にアクセスすることができ、天井裏空間に入り込まなくても当該部位のメンテナンスを容易に行うことができる。
【００３２】
上記した外気処理空気調和機１０では、ダンパユニット８０のダンパ板８１を、排気開口１７ｂを開放しバイパス開口１７ｃを閉塞した状態とし、排気ファン４０Ｂを駆動することによって、内気ＲＡは屋内側吸込口１２から筐体１１内に吸い込まれた後、排出経路３４を通って屋外側吹出口１５から排気ＥＡとして屋外に排出される。一方、給気ファン４０Ａを駆動することによって、外気ＯＡは屋外側吸込口１４から筐体１１内に吸い込まれた後、導入経路３５を通って全熱交換素子３１に至り、この全熱交換素子３１にて内気ＲＡと熱交換をする。そして、この熱交換した外気ＯＡは、空調ユニット６０に至り、この空調ユニット６０の室内熱交換器６１にて冷却または加熱され、さらに必要に応じて加湿器６２にて加湿された後に、屋内側吹出口１３から給気ＳＡとして屋内に供給される。
また、暖房運転時に外気温度よりも室温が低い場合、もしくは、冷房運転時に外気温度よりも室温が高い場合には、ダンパユニット８０のダンパ板８１を、排気開口１７ｂを閉塞してバイパス開口１７ｃを開放した状態とすることにより、内気ＲＡは屋内側吸込口１２から筐体１１内に吸い込まれた後、全熱交換素子３１と通過しないバイパス経路３９を通って屋外側吹出口１５から排気ＥＡとして屋外に排出される。このため、空調ユニット６０の冷暖房負荷を軽減することができ、省資源、省エネルギー化を図ることができる。
【００３３】
以上、本実施形態によれば、筐体１１内に、外気と内気を熱交換する全熱交換素子３１と、外気を屋内に全熱交換素子３１を経て導入する給気ファン４０Ａと、内気を屋外に全熱交換素子３１を経て排出する排気ファン４０Ｂとを備えた外気処理空気調和機１０において、ファンモーター５０Ａ、５０Ｂを筐体１１の一辺を構成する側面パネル１１ｃに対向配置させたので、この側面パネル１１ｃを介して、いずれのファンモーター５０Ａ、５０Ｂに対しても容易にアクセスできる。このため、ファンモーター５０Ａ、５０Ｂのメンテナンスに要する作業負担を大幅に軽減できる。
【００３４】
また、ファンモーター５０Ａ、５０Ｂに対向する側面パネル１１ｃには、全熱交換素子３１を筐体１１の幅方向に引き出し可能とする開口１９ｂ、及び、各送風機のメンテナンス用の開口１９ａ、１９ｃを設けており、側面パネル１１ｃ側から全熱交換素子３１のメンテナンスを行うことが可能である上、ファンモーター５０Ａ、５０Ｂに容易にアクセスすることができ、筐体１１の一方から各部のメンテナンスを行うことができる。
さらに、各図に示したように、外気処理空気調和機１０は、天井裏空間において、該天井裏空間を構成する天井板の点検口２０、２０が各送風機のメンテナンス用の開口１９ａ、１９ｃの各々の近傍に位置するよう設置されるので、点検口２０からファンモーター５０Ａ、５０Ｂに対して容易にアクセスできる。また、点検口２０から直接、天井裏空間に入り込むことなくファンモーター５０Ａ、５０Ｂにアクセスすることも可能である。
【００３５】
また、給気ファン４０Ａ及び排気ファン４０Ｂは、ケーシング４１Ａ、４１Ｂの両側面に吸気口４４Ａ、４５Ａ及び吸気口４４Ｂ、４５Ｂを有する両吸込型のシロッコファンとして構成され、このシロッコファンを駆動するファンモーター５０Ａ、５０Ｂを、吸気口４４Ａ、４４Ｂ、４５Ａ、４５Ｂのうち一方の側面の吸気口に取り付けているので、どちらの側面にファンモーター５０Ａ、５０Ｂを取り付けても送風可能である。このため、給気ファン４０Ａ及び排気ファン４０Ｂの設置方向に合わせて、ファンモーター５０Ａ、５０Ｂを取り付ける側面を選択できる。従って、ファンモーター５０Ａ、５０Ｂを、ともに側面パネル１１ｃに対向させて配置した構成を、容易に実現できる。
【００３６】
さらにまた、筐体１１内において屋外側吸込口１４から外気を屋内に導入する導入経路３５を備え、屋内側吸込口１２から内気を屋外に排出する排出経路３４を備え、給気ファン４０Ａを、ファンモーター５０Ａとは反対側の吸気口４５Ａが屋外側吸込口１４側に位置するよう配置し、排気ファン４０Ｂを、ファンモーター５０Ｂとは反対側の吸気口４５Ｂが屋内側吸込口側に位置するよう配置したので、ファンモーター５０Ａによって塞がれていない吸気口４５Ａ、４５Ｂを、全熱交換素子３１において風量が多くなりやすい側に位置させて、全熱交換素子３１を通過した空気を少ない抵抗で大量に吸い込み、効率よく送風できる。
さらに、筐体１１から屋外へ排気する屋外側吹出口１５と、筐体１１から屋内へ給気するための屋内側吹出口１３とを、筐体１１の両端面を構成する側面パネル１１ｂ、１１ａにおいて互いに対向する位置に設け、給気ファン４０Ａ及び排気ファン４０Ｂを、それぞれ屋外側吹出口１５と屋内側吹出口１３とに対向させて配置したので、給気ファン４０Ａ、４０Ｂの吹き出し空気を少ない抵抗で屋内側吹出口１３及び屋外側吹出口１５へ送風させることができ、通風抵抗を抑え、効率よく外気の導入と内気の排出を行える。
【００３７】
以上、本発明を上記実施の形態に基づいて説明したが、本発明はこれに限定されるものではない。例えば、本実施形態では、全熱交換素子３１を２つに分割して筐体１１内に収容していたが、これに限るものではない。また、筐体１１の幅に対して全熱交換素子３１の幅（能力）が小さくてよい場合には、全熱交換素子３１の側方に、発泡樹脂で四角柱状に形成したスペーサーを配置しても良い。さらに、上記実施の形態では、給気ファン４０Ａ及び排気ファン４０Ｂを、両吸込型のシロッコファンとして構成した例を挙げて説明したが、本発明はこれに限定されず、片吸込型のシロッコファンを用いてもよい。この場合、吸気口と反対側の側面に配設されるファンモーター５０Ａ、５０Ｂが側面パネル１１ｃに対向するよう、給気ファン４０Ａ及び排気ファン４０Ｂを配置すればよく、その他の細部構成についても任意に変更可能である。
【符号の説明】
【００３８】
１０  外気処理空気調和機
１１  筐体
１１ｃ  側面パネル（側板）
１２  屋内側吸込口
１３  屋内側吹出口
１４  屋外側吸込口
１５  屋外側吹出口
１９ａ、１９ｂ、１９ｃ、１９ｄ  開口
２０  点検口
２１  電装箱
２２、２３、２４、２５、２６  メンテナンスパネル
３０  全熱交換ユニット
３１  全熱交換素子
３４  排出経路
３５  導入経路
３６  風路形成体
４０Ａ  給気ファン（導入送風機）
４０Ｂ  排気ファン（排出送風機）
４１Ａ、４１Ｂ  ケーシング
４２Ａ、４２Ｂ  回転羽根
４３Ａ、４３Ｂ  吹出口
４４Ａ、４４Ｂ  吸気口
４５Ａ、４５Ｂ  吸気口
５０Ａ、５０Ｂ  ファンモーター（駆動モーター）
６０  空調ユニット
６１  室内熱交換器（熱交換器）
ＥＡ  排気
ＯＡ  外気
ＲＡ  内気
ＳＡ  給気
【図１】
2011075116.tif 000003
【図２】
2011075116.tif 000004
【図３】
2011075116.tif 000005
【図４】
2011075116.tif 000006
【図５】
2011075116.tif 000007